(57)【要約】    【課題】  主にキッチンに於て採用され、収納区画内の環境を維持でき、収納物の搬入出が容易で、メンテナンスを簡単に行える収納部の構造を提供する。    【解決手段】仕切り板により仕切られた２以上の収納区画が横に並んで形成されるとともにその少なくとも１の収納区画は家電機器が収納される家電収納区画とし、かつ前記収納区画を開閉する引き戸を具えた収納部であって、前記家電収納区画は、天板を設けることなく上方を開放して形成され、前記引き戸は、その裏側に水平にのびる受レールを有するとともに、前記仕切り板の前端部に前記受けレールを水平移動可能に支持する支持具が設けられ、該支持具に、引き戸の受レールを係合することにより、引き戸が左右にスライドして収納区画を開閉しうることを特徴とする。【選択図】  図２
2006149650.tif 000002
【特許請求の範囲】
【請求項１】
仕切り板により仕切られた２以上の収納区画が横に並んで形成されるとともにその少なくとも１の収納区画は家電機器が収納される家電収納区画とし、かつ前記収納区画を開閉する引き戸を具えた収納部であって、
前記家電収納区画は、天板を設けることなく上方を開放して形成され、
前記引き戸は、その裏側に水平にのびる受レールを有するとともに、前記仕切り板の前端部に前記受けレールを水平移動可能に支持する支持具が設けられ、
該支持具に、引き戸の受レールを係合することにより、引き戸が左右にスライドして収納区画を開閉しうることを特徴とする収納部の構造。
【請求項２】
前記受レールは、引き戸の裏側で少なくとも２本が上下に離れて設けられるとともに、前記支持具は、前記各受レールに向き合って上下に設けられることを特徴とする請求項１記載の収納部の構造。
【請求項３】
前記支持具と略同高さで横に並び、かつ該支持具と協働して同じ受レールを水平移動可能に支持する補助支持具が形成されことを特徴とする請求項１又は２記載の収納部の構造。
【請求項４】
前記仕切り板は、その上位に一方の収納区画に向けのびる棚板を有し、
前記補助支持具は、棚板の前端部で、かつ前記収納区画の中央寄りの先端位置に設けられたことを特徴とする請求項３記載の収納部の構造。
【請求項５】
仕切り板で区画されて隣り合う左右の収納区画において、一方の収納区画の開口幅を、他方の収納区画の開口幅よりも大とし、
前記補助支持具は、広幅の収納区画の側に設けられ、
前記引き戸の幅は、広幅の収納区画の開口幅と略同寸法としたことを特徴とする請求項３又は４記載の収納部の構造。
【発明の詳細な説明】
【技術分野】
【０００１】
本発明は、主にキッチンに於て採用され、収納区画内の環境を維持でき、収納物の搬入出が容易で、メンテナンスを簡単に行える収納部の構造に関する。
【背景技術】
【０００２】
近年オール電化住宅の普及に伴って、キッチンに、冷蔵庫、炊飯器、ポット、電子レンジ、トースターなどの家電機器、及び食器棚、作業机などの家具が多く配置される。そこで、図６に示すように、家電機器ａなどを収容するため、壁面に沿って、仕切り板ｆによって仕切られた収納区画ｄを形成し、適宜引き戸、扉など建具ｂを設けて収納区画ｄ内を遮蔽することにより、見栄えを高めるとともに家電機器ａが発する音を低減する工夫がなされている（例えば、特許文献１参照）。
【０００３】
【特許文献１】特開２００２−３２２８０５号公報
【発明の開示】
【発明が解決しようとする課題】
【０００４】
しかしながら、冷蔵庫などキッチンで使用される家電機器ａは放熱するものが多く、中でも炊飯器、ポットなどは、熱に加えて水蒸気も放出する。そのため、これら熱、水蒸気が収納区画ｄの中にこもり、内部が高温化したり、或いは結露を生じて環境低下と運転効率低下を招く可能性がある。或いは建具ｂを開けた時、内部にこもった熱気、水蒸気により使用者が不快感を抱く恐れがある。
【０００５】
また、建具ｂを支持するため床面に敷設される下レールｅが障害となって、収納物の搬入出に手間がかかり、特に大型冷蔵庫などの下部に設けられた移動用車輪が下レールｅに引っ掛かり、これを乗り越えるためには複数人での作業を必要とし、時には下レールｅを破損する場合もある。また、前記下レールｅには、ゴミ、埃が溜まりやすいため、衛生を損ねがちであり、掃除に手間がかかるという問題もある。
【０００６】
本発明は、家電収納区画の上方を開放するとともに、仕切り板の前端の支持具に係合した引き戸が左右にスライドして収納区画を開閉することを基本とし、環境及び家電機器の稼動効率を維持、向上でき、収納物の搬入出が容易で、しかもメンテナンスを簡単に行える収納部の構造の提供を課題としている。
【課題を解決するための手段】
【０００７】
前記目的を達成するために、請求項１に係る発明は、仕切り板により仕切られた２以上の収納区画が横に並んで形成されるとともにその少なくとも１の収納区画は家電機器が収納される家電収納区画とし、かつ前記収納区画を開閉する引き戸を具えた収納部であって、前記家電収納区画は、天板を設けることなく上方を開放して形成され、前記引き戸は、その裏側に水平にのびる受レールを有するとともに、前記仕切り板の前端部に前記受けレールを水平移動可能に支持する支持具が設けられ、該支持具に、引き戸の受レールを係合することにより、引き戸が左右にスライドして収納区画を開閉しうることを特徴とする。なお本明細書において、引き戸が収納区画を開閉するとは、引き戸が収納区画の前部に形成されて収納物を出し入れしうる開口を開閉し、これにより収納区画の内部が開放又は隠蔽されることをいう。
【０００８】
請求項２に係る発明では、前記受レールは、引き戸の裏側で少なくとも２本が上下に離れて設けられるとともに、前記支持具は、前記各受レールに向き合って上下に設けられ、また請求項３に係る発明においては、前記支持具と略同高さで横に並び、かつ該支持具と協働して同じ受レールを水平移動可能に支持する補助支持具が形成される。
【０００９】
請求項４に係る発明では、前記仕切り板は、その上位に一方の収納区画に向けのびる棚板を有し、前記補助支持具は、棚板の前端部で、かつ前記収納区画の中央寄りの先端位置に設けられ、また請求項５に係る発明は、仕切り板で区画されて隣り合う左右の収納区画において、一方の収納区画の開口幅を、他方の収納区画の開口幅よりも大とし、前記補助支持具は、広幅の収納区画の側に設けられ、前記引き戸の幅は、広幅の収納区画の開口幅と略同寸法としたことを特徴とする。
【発明の効果】
【００１０】
請求項１に係る発明は、家電収納区画には、天板がなく上方が開放しているため、収納された家電機器が放出する熱、水蒸気などを効率的に放散でき、家電収納区画内に熱、水蒸気がこもることがなくなり、環境を維持できるとともに家電機器の運転効率を向上しうる。また天板のない家電収納区画にも引き戸を装着でき、しかもその引き戸を支持するレールが収納区画の開口の上下に配置されないため、冷蔵庫、食器棚など大型機器、家具の上部が上レールに当ることなく、また冷蔵庫などの下部に設けられた移動用車輪を使用して出し入れを容易に行える。床面の下レールに、ゴミ、埃が溜まることがなく、衛生上優れるとともに掃除の手間が省ける。更に引き戸が受レールにより補強され、反り発生を防止できる。
【００１１】
請求項２に係る発明のように構成すると、上下の受けレール、支持具により引き戸の開閉動作がスムースとなって操作性を高め、また請求項３のように、片持ち状態の引き戸を、補助支持具が支えると、開閉動作が一層にスムースとなり、かつ引き戸の傾きにより隙間を生じることがない。
【００１２】
請求項４に係る発明では、棚板により補助支持具を安定して支持でき、また請求項５に係る発明のように構成すると、左右何れの収納区画も隙間なく遮蔽でき、しかも大小各種の収納物を、左右の収納区画に区別してスペースの無駄なく効率的に収納できる。
【発明を実施するための最良の形態】
【００１３】
以下、本発明の実施の一形態を、図示例とともに説明する。図１に示すように、収納部の構造１は、仕切り板２により仕切られ左右に並ぶ複数の収納区画３と、この収納区画３の前部において、前記仕切り板２間で形成される開口を開閉する引き戸５とを有する。また収納部の構造１は、主にキッチンにおいて採用されるが、ダイニング、リビングルーム、寝室などに用いることもできる。
【００１４】
前記収納区画３は、主として間仕切壁、外壁などに沿って、複数の仕切り板２を隔設することにより形成される。しかし例えば、対面式アイランドキッチンの横に並べてパーティションを立設することにより部屋空間内に独立して形成することもできる。前記仕切り板２は、天井よりも数十センチ低く留まる高さに形成される。また仕切り板２の出幅は、収納物のサイズに応じて、例えば３０〜９０ｃｍ程度の大きさに形成される。
【００１５】
本形態では、図１に示すように、外壁２３の表面に設けた背板２１に仕切り板２を取付けたものを例示している。ただし、背板２１を設けることなく、仕切り板２を外壁２３に直接取付けることにより収納空間を区画形成することもよい。
【００１６】
また本形態では、図２に示すように、３枚の仕切り板２を前記背板２１に対し直角に固着することにより左右に２つの収納区画３、３を連設する収納ユニット２２を構成した場合を例示している。なおこの収納ユニット２２は、ノックダウン方式とすると、搬送性が高まるとともに移設を容易とする点で好ましい。
【００１７】
更に本形態では、前記収納ユニット２２を外壁２３に２個横に並べて配置し、合計４個の収納区画３が構成されたものを例示している。また仕切り板２で区画した左右の収納区画３は、図１に示すように、一方の収納区画３の開口幅ＷＬを他方の開口幅ＷＳよりも大きく形成している。例えば８００ｍｍ〜２０００ｍｍ程度の開口幅ＷＬを有する幅広の収納区画３Ｌには、食器棚２４、作業机２５などの大型の家具などが収容される。他方例えば６００〜１５００ｍｍ程度の開口幅ＷＳに形成された幅狭の収納区画３Ｓには、冷蔵庫２６、炊飯器２７、ポット２８などの比較的小型の家電機器Ｅその他が収容される。このように、隣接して形成された大と小の収納区画３Ｌ、３Ｓには、各種大きさの物が区別して収納でき、スペースを有効活用しうる点で好ましい。なお、前記収納区画３の区画数、各収納区画３の開口幅などは、個別のプラン条件、使用者のニーズに応じて任意に設計される。
【００１８】
また前記収納区画３の両側に配置された左右の仕切り板２の上端部間には、天板６が架け渡され、収納区画３の上部を閉蓋している。但し、家電機器Ｅを収納する家電収納区画３Ａは、図２に示すように、天板６を設けることなく、収納区画３の上方を開放して形成している。このように、家電収納区画３Ａは、天板６を設けることなく、上方からの通気性が確保される。そのため、冷蔵庫、炊飯器、電気ポット、トースターなど発熱する家電機器Ｅが収納されても、発生した熱は家電収納区画３Ａ内にこもることなく上方から拡散され、区画内部の温度を大きく上昇させることがない。また炊飯器、電気ポットなどから発生する水蒸気も、上昇して上部から拡散されて、区画内部で結露を生じることはない。このように、家電収納区画３Ａは、温度、湿度などの環境が維持されるため、使用者に不快感を与えることがなく、かつ前記家電機器Ｅの運転効率低下を防止できる。
【００１９】
前記隣接する一対の幅広の収納区画３Ｌ及び幅狭の収納区画３Ｓ毎に、１枚の引き戸５が配置される。この引き戸５は、直立した矩形板状をなし、前記幅広の収納区画３Ｌの開口幅ＷＬと略同寸法に形成され、その裏側に水平にのびる受レール７が設けられる。そして、この受レール７と向き合って、前記仕切り板２の前端部に支持具８が形成される。本形態の受レール７は、図３、４に示すように、断面コ字状をなすとともに上下の水平片の先端部が互いに内側に折れ曲がったリップ２９、２９を有する。他方本形態の支持具８は、車軸３０と、この車軸３０にボールベアリング３１Ａを介して枢支されたローラー３１とからなり、前記車軸３０の基端に形成されたネジ部３０Ａを仕切り板２の前端部に螺着することにより取付けられている。なお本形態では、仕切り板２の前端部に凹部３２を形成して、この凹部３２に前記支持具８を取付けることにより引き戸５と仕切り板２の隙間発生を防止している。
【００２０】
前記ローラー３１は、受レール７内に挿入されて係合し、これにより前記引き戸５は左右にスライド可能に支持される。ローラー３１により支持された引き戸５は、仕切り板２の左右に配された収納区画３Ｌと収納区画３Ｓとの間を往復することにより、双方を交互に開閉する。即ち、図５（Ａ）に示すように、収納区画３Ｌ側に移動した引き戸５は、その開口幅ＷＬと略同寸法を有するため収納区画３Ｌを隙間なく遮蔽し、収容された食器棚２４は隠されて美観を向上できる。他方収納区画３Ｓは前面がオープンとなるため、冷蔵庫２６の扉を開いて使用できる。また図５（Ｂ）に示すように、引き戸５を収納区画３Ｓ側にスライドすると、収納区画３Ｓの前部全面が遮蔽されて冷蔵庫２６が隠れ、他方開口した収納区画３Ｌ側では、内部に設置された食器棚２４へ収納物を出し入れしうる。
【００２１】
また引き戸５は、仕切り板２に設けられた支持具８で支持されるため、前記天板６のない家電収納区画３Ａにおいても引き戸５を装着できる。また、収納区画３の前部上下に、引き戸５を支持するためレールを架け渡すことがなくなるため、冷蔵庫、食器棚など背の高い大型機器、家具であっても、スムースに出し入れでき、特に床面は下レールがなくフラットに形成されるため、冷蔵庫などの下部に取付けられた移動用車輪を使って楽に搬入できる。しかも、床面のレールにゴミ、埃が溜まることがないため、衛生面に優れ、かつ掃除の手間が省ける。更には、受レール７により引き戸５が補強され、反り発生を防止できる。
【００２２】
また本形態の引き戸５は、上下に離れて２本の受レール７、７を有し、そして各受レール７、７に向き合って支持具８、８が上下に隔設される。このように本形態では、上下の受レール７、支持具８により引き戸５のスライド移動を支持するため、開閉動作がスムースとなり引き戸５の操作性が向上する点で好ましい。なお受レール７及び支持具８は、上下に３列以上を隔設すると、スライド動作の円滑性が更に向上する。
【００２３】
前記受レール７は、本形態では図２、３に示すように、支持具８によって支持され、これに加えてこの支持具８と同高さで、前記幅広の収納区画３Ｌ側に、例えば２００〜５００ｍｍ程度離れて設けられた補助支持具９により支持されている。この補助支持具９は前記支持具８と同様、車軸３０と、この車軸３０に枢支されたローラー３１とからなり、このローラー３１が受レール７内に挿入されている。このように、離れて配置された支持具８と補助支持具９とが共働して受レール７を支持するため、引き戸５はスムースに開閉でき、スライド動作にガタツキを生じない。特に一方の収納区画３を遮蔽するため、その前部へスライド移動した引き戸５は片持ち状態で支持されるが、前記のように受レール７が支持具８と補助支持具９との２点で支持されるために斜めに傾くこともなく、従って戸先側で隙間を生じることがない。図３に示すように、上下に複数の受レールが形成される場合には、スムースなスライド動作を得るため、上位側の受レール７に補助支持具９を設けることが有効である。更に上下双方の受レール７を補助支持具９で支持すると安定性が一層向上する。
【００２４】
また本形態の仕切り板２には、その上位に支持具８と同高さで前記幅広の収納区画３Ｌに向けてのびる棚板１０が設けられる。そして前記補助支持具９は、この棚板１０の収納区画の開口寄りの前端部で、かつ収納区画３Ｌの中央寄りの先端位置に取付られている。棚板１０に補助支持具９を設けると、補助支持具９の保持強度が高まり、引き戸５のスライド移動をガタツキなく安定支持できる点で好ましい。更に、棚板１０上には小物を載せて、効率的な収納が行える。尚、支持具８及び補助支持具９は、前記天板６の前端部に取付けることも出来る。この場合には、引き戸５を更に安定して支持できる点で好ましい。
【００２５】
なお前記仕切り板２、背板２１、天板６及び引き戸５は、杉、松、樅、栂などの針葉樹、およびナラ、チーク、ラワンなどの広葉樹を含む板材、合板、パーティクルボード、インシュレーションボード、ＭＤＦ（中密度繊維板）、集成材、ＬＶＬ（単板積層材）などの木質加工板材、リサイクル木粉にポリプロピレン樹脂、ポリエチレン樹脂などを配合して押出、射出成形した人工木材、鉄、アルミ、ステンレスなどの金属板材、メラミン樹脂、不飽和ポリエステル樹脂、ポリカーボネートなどのプラスチック板材、その他これらを組合わせて積層板材、或いは段ボール、アルミ製などのハニカムコアを芯材として構成されたハニカムコアパネル、その他各種の材料を用いて形成される。
【００２６】
なお叙上の説明は本発明の実施の形態を例示したものであり、本発明の技術的範囲はこれに限定されるものではない。
【図面の簡単な説明】
【００２７】
【図１】本発明の一実施の形態を例示する平面図である。
【図２】その斜視図である。
【図３】その要部斜視図である。
【図４】その要部拡大断面図である。
【図５】その使用状態を示す平面図であり、（Ａ）は家電収納区画の開口部から引き戸を開いた状態を示し、（Ｂ）は家電収納区画の開口部を引き戸で閉止した状態を示す。
【図６】従来例を示す斜視図である。
【符号の説明】
【００２８】
１      収納部の構造
２      仕切り板
３      収納区画
３Ａ    家電収納区画
５      引き戸
６      天板
７      受レール
８      支持具
９      補助支持具
１０      棚板
Ｅ      家電機器
【図１】
2006149650.tif 000003
【図２】
2006149650.tif 000004
【図３】
2006149650.tif 000005
【図４】
2006149650.tif 000006
【図５】
2006149650.tif 000007
【図６】
2006149650.tif 000008